(57)【特許請求の範囲】
【請求項１】
中央部に凹部または切り込みを設けた本体の裏面中央部に剥離紙を有する粘着層を設けると共に、両端部に剥離紙を有する粘着層または係止ひもを設けてなり、前記本体は、表面に文字が書ける透明体または半透明体であることを特徴とする死者用アイマスク。
【請求項２】
中央部の粘着層は、２つに分割されていることを特徴とする請求項１に記載の死者用アイマスク。
【請求項３】
本体の表面には、文字が書ける情報記入欄を設けたことを特徴とする請求項１または請求項２に記載の死者用アイマスク。
【請求項４】
係止ひもは、両側の耳に掛けるようにそれぞれ両端部に設けられていることを特徴とする請求項１〜３のいずれか１項に記載の死者用アイマスク。
【請求項５】
係止ひもは、頭の後ろ側で結ぶように２つに分かれていることを特徴とする請求項１〜３のいずれか１項に記載の死者用アイマスク。
【請求項６】
係止ひもは、頭の後ろ側に掛けるように一体に形成されていることを特徴とする請求項１〜３のいずれか１項に記載の死者用アイマスク。
【発明の詳細な説明】
【０００１】
【産業上の利用分野】
この発明は、死者の瞼を閉じさせるようにしたアイマスクに係り、詳しくは死者が死後硬直するまでの間に瞼が開くのを防止するようにした死者用アイマスクに関する。
【０００２】
【従来の技術】
人間は、死亡した直後から筋肉の収縮による死後硬直が始まり、関節はかたく固定し動かし難くなる。死後硬直はあごや首筋など上部の関節に始まり、次第に下方の関節へと移って行く。硬直は死後２〜３時間で始まり、６〜７時間で全身に広がる。
【０００３】
死亡すると、硬直する前に、口を閉じる処置や、瞼を閉じる処置が行われる。瞼を閉じるには、手で押さえて閉じさせるが、閉じた瞼が少し時間が経つと開いてしまうことがある。筋肉は死後一旦緩み、２〜３時間経ってから硬直が始まるので瞼の筋肉が緩んでいる間に開いてしまうのである。
【発明が解決しようとする課題】
【０００４】
瞼が開いたまま硬直するとその後これを閉じることは困難になる。しかしながら、瞼が開いたままにさせておくことはできないので、無理に閉じさせ粘着テープで閉じた状態を保持させる等の処置が行なわれている。また、病院等では死亡すると瞼が開かないようにするために、予め粘着テープ等で閉じさせておく等の処置が行なわれているが、手間がかかるばかりでなく死者への処置としては必ずしも適当とはいえなかった。死後は衣服を改め、髪を整え、化粧をして死者を旅立たせるが、死後わずかの時間でも瞼に粘着テープを貼り付けておくことは、適当な処置とはいえない。
【０００５】
この発明はかかる現況に鑑みてなされたもので、取り扱いが簡単で、しかも死者への処置として適切な死者用アイマスクを提供することを目的とする。
【０００６】
【課題を解決するための手段】
そこで、この発明は、上記目的を達するために次のように構成した。
即ち、この発明に係る使者用アイマスクは、中央部に凹部または切り込みを設けた本体の裏面中央部に剥離紙を有する粘着層を設けると共に、両端部に剥離紙を有する粘着層または係止ひもを設けてなり、前記本体は、表面に文字が書ける透明体または半透明体であることを特徴とする。中央部の粘着層は、２つに分割することができる。また、本体の表面には、文字が書ける情報記入欄を設けることができる。そして、前記係止ひもは、両側の耳に掛けるようにそれぞれ両端部に設けられていてもよく、頭の後ろ側で結ぶようにしてもよく、また、頭の後ろ側に掛けるように一体に形成してもよい。
【０００７】
【発明の実施の形態】
以下に、この発明の実施形態を図面に基づいて詳細に説明する。
図１は、この発明の第１実施形態を示す。１は、中央部に鼻当てとなる山形の凹部２を設けたサングラス状本体であって、材質は特に限定されない。材質には、合成樹脂フィルム、紙等を使用することができ、瞼の閉じた状態を確認できるように、透明体または半透明体であることが好ましい。
【０００８】
鼻の当たる中央部とこめかみに当たる両端部には、剥離紙を設けた粘着層３、４を設けてなる。粘着層３、４は、瞼の近傍に粘着できる位置に設けることが好ましい。粘着層３、４を中央部の粘着層３と両端部の粘着層４に分割した状態で設けることによって、顔の大きさ、瞳の幅の大きさ等の個人差があっても対応することができる。
【０００９】
図示する実施形態では、サングラス状本体１の表面の適所に、故人名５、死亡時刻６、取り外し時間７等の情報記入欄８を設けてなる。従来は死者の情報は全く表示されていなかったため、顔を見て確認しなければならなかった。この発明に係るアイマスクを使用することによって間違いを防止できるとともに、マスクの取り外す時間が明確になる。
【００１０】
前記情報記入欄８は、鏡面であっても文字が書ける状態であればよく、必ずしも凹凸面であることは必要でないが、シボ加工のような微細な凹凸を有する表面とすることによって、文字が書きやすく、また、消え難くくすることができる。前記情報記入欄８は、独立した状態で故人名欄、死亡時刻等のように記入欄を区分けした場合の他、前記情報を数行にまとめて書けるように１つの情報記入欄であっれもよい。また、サングラス状本体１の表面には、死者への言葉や、病院名の名称やマークを印刷しておいたり、広告等を印刷しておいてもよい。
【００１１】
次に、使用方法について説明すると、まず、情報記入欄８に故人名、死亡時刻、取り外し時間等を記入した後、剥離紙を取り除き、死者の瞼が閉じている状態で鼻の部分とこめかみの部分に貼り付ければよい。瞼は、押さえられて閉じたままの状態で保持される。数時間貼り付けておき、硬直後取り外せばよい。
【００１２】
図２は、この発明の第２実施形態を示すもので、粘着層３を粘着層３ａ、３ａの２つに分割し、両端部の粘着層４に代えて、ゴムひも等の係止ひも１０、１０を設けた場合である。
【００１３】
この発明に係るアイマスクは、瞼が開くのを押さえるものであるから、粘着層３は瞼の近傍にあることが好ましい。そこで、中央部の粘着層３を鼻の両側に貼着する部分に分割した。鼻の突出部では必ずしも貼着する必要はないからである。係止ひも１０、１０は両耳に掛けるように独立しているが、両者を一体に連続させたものであってもよい。係止ひも１０を一体に連続させた場合には、頭の後ろに回して止めればよい。
【００１４】
尚、上記実施形態において、中央部の凹部２は、本体１を瞼に当接させるために設けたものであるから、凹部２を切り込みに変更してもよい。また、本体の形状は、上記サングラス状に限定されるものではなく、長方形状、楕円形状、その他の形状であってもよい。
【００１５】
【発明の効果】
以上詳述したところから明らかなように、この発明によれば数時間瞼を閉じた状態を確実に保持することができる。そして、死後硬直した後に取り外せばよいから、従来のように、気が付かないうちに瞼が開いてしまうといことはなく、従って、硬直後に無理に閉じさせてテープ等で固定するということがない。また、情報記入欄を設けることによって、故人の死亡時刻や、アイマスクの取り外し時間などが分かる。また、着脱が簡単である。
【図面の簡単な説明】
【図１】この発明に係る第１実施形態の背面側斜視図である。
【図２】この発明に係る第２実施形態の正面図である。
【符号の説明】
１  サングラス状本体
２  凹部
３、４  粘着層
８  情報記入欄
１０  ゴムひも
【図１】
0003693101.tif 000002
【図２】
0003693101.tif 000003